(57)【要約】【課題】  無線ＬＡＮ装置を利用した無線ネットワーク空間内に存在する不特定多数の端末に対して、移動店舗の宣伝ページを送信することで、移動店舗の宣伝を行う移動店舗の宣伝システム及び宣伝方法を提供することを目的とする。【解決手段】  行商ノード２０は、無線ネットワーク存在信号生成部１２は発信する信号を検知し、無線ネットワーク内に参加する。行商ノード２０は、無線ネットワーク内に存在する複数の端末ノード３０に対して、宣伝用ｈｔｍｌページ送信部２１が宣伝用ｈｔｍｌページを送信し、端末ノード３０は、送信された宣伝ｈｔｍｌページに利用者キーワード格納部に格納されているキーワードが含まれているかを判断し、含まれている場合には、許諾宣伝用ｈｔｍｌページ格納部３２に格納し、Ｗｅｂブラウザを起動させ、宣伝用ｈｔｍｌページを表示する。【選択図】  図１
2006031643.tif 000002
【特許請求の範囲】
【請求項１】
ＩＰアドレスを管理する管理手段と、
無線ネットワークの存在を示す信号を継続して発信する無線ネットワーク信号発信手段とを備えるネットワーク管理端末と、
前記無線ネットワーク信号発信手段が発信する無線ネットワークの存在を示す信号を検知する検知手段と、
無線ネットワーク内に存在する顧客端末に対して移動店舗の宣伝を送信する宣伝送信手段とを備える移動店舗端末と、
前記顧客端末は、予め設定されたキーワードを記憶した記憶手段と、
前記宣伝送信手段によって送信された宣伝に前記記憶手段に記憶されたキーワードが含まれているかを判断する判断手段と、
前記判断手段によってキーワードが含まれていると判断された宣伝をウェブページで表示する手段とを備え、
前記移動店舗端末は、前記検知手段によって無線ネットワークの存在を示す信号を検知したら、前記管理手段が管理するＩＰアドレスを取得し、無線ネットワーク内に参加し、前記無線ネットワーク内に存在する複数の顧客端末に前記移動店舗の宣伝を送信することを特徴とする移動店舗の宣伝システム。
【請求項２】
前記検知手段は、前記移動店舗が移動している間、前記無線ネットワーク信号発信手段が発信する信号を検知するために、常に検知できる状態であることを特徴とする請求項１記載の移動店舗の宣伝システム。
【請求項３】
前記判断手段は、前記記憶手段に記憶されたキーワードが送信された前記宣伝に含まれていないと判断した場合には、前記宣伝を廃棄することを特徴とする請求項１記載の移動店舗の宣伝システム。
【請求項４】
前記判断手段は、前記キーワードが含まれていると判断した宣伝を格納する宣伝格納手段を有することを特徴とする請求項１記載の移動店舗の宣伝システム。
【請求項５】
前記記憶部に記憶されているキーワードは、変更可能であることを特徴とする請求項４記載の移動店舗の宣伝システム。
【請求項６】
移動店舗が、ネットワーク管理端末から無線ネットワークの存在を示す信号を検知する検知工程と、
前記移動店舗が前記無線ネットワークの存在を示す信号を検知すると、前記ネットワーク管理端末が備える複数のＩＰアドレスから任意のＩＰアドレスの受け取る工程と、
前記ＩＰアドレスを受け取った移動店舗は、無線ネットワーク内に参加し、前記無線ネットワーク内に存在する複数の顧客端末に前記移動店舗の宣伝を送信する送信工程と、
前記移動店舗から宣伝を受信した前記顧客端末は、予め設定されているキーワードが前記受信した宣伝に含まれているかを判断する判断工程と、
前記判断工程によって、前記受信した宣伝に前記キーワードが含まれていると判断された場合には、前記キーワードが含まれている宣伝をウェブページで表示する工程とを有することを特徴とする移動店舗の宣伝方法。
【請求項７】
前記判断工程は、前記移動店舗から送信された宣伝に前記キーワードが含まれていないと判断した場合には、宣伝を廃棄することを特徴とする請求項６記載の移動店舗の宣伝方法。
【請求項８】
前記検知工程は、前記ネットワーク管理端末から発信される前記無線ネットワークの存在を示す信号を常に検知できる状態であることを特徴とする請求項６記載の移動店舗の宣伝方法。
【請求項９】
前記判断工程は、前記キーワードが含まれていると判断された宣伝を格納する工程を有することを特徴とする請求項６記載の移動店舗の宣伝方法。
【発明の詳細な説明】
【技術分野】
【０００１】
本発明は、屋台などの移動店舗がインターネットを利用して行う移動店舗の宣伝システム及び宣伝方法に関し、特に、無線ＬＡＮ環境にいる不特定多数の端末に移動店舗の宣伝を行う移動店舗の宣伝システム及び宣伝方法に関する。
【背景技術】
【０００２】
インターネット上では、多種多様なサービスや物品を販売する多数のＷｅｂサイトが存在している。一般利用者は、Ｗｅｂブラウザから検索エンジンを使ってそれらのＷｅｂサイトを検索し、Ｗｅｂサイトにアクセスして、サービスや物品を購入する行為を一般的に行っている。こうしたインターネット上での物品を販売する方法として、特開２００２―１５０１１３号公報（以下、特許文献１）が挙げられている。
【０００３】
特許文献１に記載されている発明は、インターネットのホームページを開設して、複数の移動店舗の現在位置に関する情報を地図で表示することで、ユーザが利用しようとするときの移動店舗の検索を容易にして利用しやすくするものである。
【特許文献１】特開２００２―１５０１１３号公報
【発明の開示】
【発明が解決しようとする課題】
【０００４】
しかしながら、特許文献１に記載されている発明では、移動店舗に搭載されたＧＰＳ受信機によって、移動店舗の現在位置を検出し、現在位置の情報をホームページ上の地図に表示するだけであって、移動店舗を利用しようとする顧客は、一定のルートで移動している移動店舗を見かけた場合か、予め移動店舗が開設しているホームページの存在を知っている場合のみに限られてしまう。
【０００５】
本発明は、係る問題に鑑みてなされたものであり、無線ＬＡＮ装置を使った無線ネットワーク空間内において、無線ネットワーク空間内に存在する不特定多数の端末ノードのユーザに対して、移動店舗の宣伝ページを送信することで、移動店舗の宣伝を行う移動店舗の宣伝システム及び宣伝方法を提供することを目的とする。
【課題を解決するための手段】
【０００６】
上記目的を達成するために、請求項１記載の移動店舗の宣伝システムは、ＩＰアドレスを管理する管理手段と、無線ネットワークの存在を示す信号を継続して発信する無線ネットワーク信号発信手段とを備えるネットワーク管理端末と、無線ネットワーク信号発信手段が発信する無線ネットワークの存在を示す信号を検知する検知手段と、無線ネットワーク内に存在する顧客端末に対して移動店舗の宣伝を送信する宣伝送信手段とを備える移動店舗端末と、顧客端末は、予め設定されたキーワードを記憶した記憶手段と、宣伝送信手段によって送信された宣伝に記憶手段に記憶されたキーワードが含まれているかを判断する判断手段と、判断手段によってキーワードが含まれていると判断された宣伝をウェブページで表示する手段とを備え、移動店舗端末は、検知手段によって無線ネットワークの存在を示す信号を検知したら、管理手段が管理するＩＰアドレスを取得し、無線ネットワーク内に参加し、無線ネットワーク内に存在する複数の顧客端末に移動店舗の宣伝を送信することを特徴とする。
【０００７】
請求項２記載の発明は、請求項１記載の移動店舗の宣伝システムであって、検知手段は、移動店舗が移動している間、無線ネットワーク信号発信手段が発信する信号を検知するために、常に検知できる状態であることを特徴とする。
【０００８】
請求項３記載の発明は、請求項１記載の移動店舗の宣伝システムであって、判断手段は、記憶手段に記憶されたキーワードが送信された宣伝に含まれていないと判断した場合には、宣伝を廃棄することを特徴とする。
【０００９】
請求項４記載の発明は、請求項１記載の移動店舗の宣伝システムであって、判断手段は、キーワードが含まれていると判断した宣伝を格納する宣伝格納手段を有することを特徴とする。
【００１０】
請求項５記載の発明は、請求項４記載の移動店舗の宣伝システムであって、記憶部に記憶されているキーワードは、変更可能であることを特徴とする。
【００１１】
請求項６記載の移動店舗の宣伝方法は、移動店舗が、ネットワーク管理端末から無線ネットワークの存在を示す信号を検知する検知工程と、移動店舗が無線ネットワークの存在を示す信号を検知すると、ネットワーク管理端末が備える複数のＩＰアドレスから任意のＩＰアドレスの受け取る工程と、ＩＰアドレスを受け取った移動店舗は、無線ネットワーク内に参加し、無線ネットワーク内に存在する複数の顧客端末に移動店舗の宣伝を送信する送信工程と、移動店舗から宣伝を受信した顧客端末は、予め設定されているキーワードが受信した宣伝に含まれているかを判断する判断工程と、判断工程によって、受信した宣伝にキーワードが含まれていると判断された場合には、キーワードが含まれている宣伝をウェブページで表示する工程とを有することを特徴とする。
【００１２】
請求項７記載の発明は、請求項６記載の移動店舗の宣伝方法であって、判断工程は、移動店舗から送信された宣伝にキーワードが含まれていないと判断した場合には、宣伝を廃棄することを特徴とする。
【００１３】
請求項８記載の発明は、請求項６記載の移動店舗の宣伝方法であって、検知工程は、ネットワーク管理端末から発信される無線ネットワークの存在を示す信号を常に検知できる状態であることを特徴とする。
【００１４】
請求項６記載の発明は、請求項６記載の移動店舗の宣伝方法であって、判断工程は、キーワードが含まれていると判断された宣伝を格納する工程を有することを特徴とする。
【発明の効果】
【００１５】
以上の説明から、本発明の移動店舗の宣伝システム及び宣伝方法は、移動店舗がインターネットを利用して宣伝を行う時に、アドホックネットワークといった公衆エリア無線ＬＡＮサービスが提供され、不特定多数の端末が存在する空間で、不特定多数の端末に対して移動店舗が宣伝を行うための宣伝ページを送信する。一方、不特定多数の端末は、個々で予め設定されたキーワードにより、送信された宣伝ページを表示するかは、設定されたキーワードを含んでいるかであり、含まれている場合のみ宣伝ページを表示することができる。これにより、移動店舗側は、不特定多数の端末に対して宣伝を行うことができ、また、顧客となりうる不特定多数の端末の利用者は、自分好みの移動店舗の宣伝のみを受け取ることができ、不必要な宣伝を受け取らずに済む。
【発明を実施するための最良の形態】
【００１６】
次に添付図面を参照して、本発明の実施形態を説明する。
本発明の移動店舗の宣伝システムは、ネットワーク管理ノード１０と行商ノード２０、端末ノード３０から構成されている。さらに、ネットワーク管理ノード１０は、ノードアドレス管理部１１、無線ネットワーク存在信号生成部１２から構成され、行商ノードは、宣伝用ｈｔｍｌページ送信部２１と宣伝用ｈｔｍｌページ格納部２２、無線ネットワーク信号検知部２３、Ｗｅｂサーバ２４から構成されている。端末ノード３０は、利用者キーワード格納部３１、許諾宣伝用ｈｔｍｌページ格納部３２、宣伝用ｈｔｍｌページ受付部３３、Ｗｅｂブラウザ３４から構成されている。
【００１７】
ネットワーク管理ノード１０は、無線ＬＡＮでは、通常無線ＬＡＮ基地局に相当する。一方、アドホックネットワークの場合は、アドホックネットワークごとに管理方法は異なる。例えば、アドホックネットワークでＤＨＣＰ（Dynamic Host Configuration Protocol）機能を持たせる場合は、ＤＨＣＰ機能を行うノードがネットワーク管理ノード１０に相当する。
【００１８】
ＤＨＣＰ機能とは、インターネットに一時的に接続するコンピュータに、ＩＰアドレスなど必要な情報を自動的に割り当てるプロトコルである。ＤＨＣＰ機能のプロトコルを実行するＤＨＣＰサーバには、ゲートウェイサーバやＤＮＳサーバのＩＰアドレスやサブネットマスクライアントに割り当ててもよいＩＰアドレスの範囲などが設定されており、ダイヤルアップなどの手段を使ってアクセスしてきたコンピュータにこれらの情報を提供する。クライアントが通信を終えると自動的にアドレスを回収し、他のコンピュータに割り当てる。アドホックネットワークの場合は、ネットワーク管理ノード１０の役割をアドホックネットワーク中のどのノードが代行するかは、様々な方法がある。
【００１９】
例えば、単純にノード間でサイコロを振って、目の一番大きい値を出した利用者端末が本来の自分の作業に加え、ネットワーク管理ノード１０の役割を代行するという方法がある。
【００２０】
無線ネットワーク存在信号生成部１２は、無線ネットワーク存在を示す信号を継続して発信する。公衆エリア無線ＬＡＮサービスが提供されている場所、いわゆる喫茶店やレストラン、空港、駅、ホテルなどに無線ネットワークを設置して、インターネットが利用できるようになっている場所では、無線ＬＡＮ基地局が常に信号を発信している。
【００２１】
アドホックネットワークの場合は、実装方法ごとに異なるが、選ばれた利用者端末がネットワーク管理ノードの役割を代行する場合に、利用者端末が無線ＬＡＮの基地局とみなすことができるので、利用者端末が信号を継続して発信してくことになる。
【００２２】
行商ノード２０は、サービスや物品を自分の近くにいる端末ノード３０の所有者に対して宣伝用ｈｔｍｌページを利用して宣伝し、宣伝用ｈｔｍｌページを見て興味を持った端末ノード３０の所有者がコンタクトしてくることを期待するものである。
【００２３】
次に、図２を参照してノードアドレス管理部１１の処理動作を説明する。
ノードアドレス管理部１１は、無線ネットワーク単位に存在し、無線ネットワーク中に接続されている全端末ノードのＩＰアドレスを保存している。まず、特定の端末ノードからＩＰアドレスリストに対する参照要求があるかの判断を行う（ステップＳ１００）。参照要求がない場合は（ステップＳ１００／ＮＯ）、参照要求を待機する状態に戻る。また、参照要求が有りの場合は（ステップＳ１００／ＹＥＳ）、特定の端末ノードに対してＩＰアドレスを返送する（ステップＳ１０１）。
【００２４】
次に、図３を参照して宣伝用ｈｔｍｌページ送信部２１の処理動作を説明する。
まず、宣伝用ｈｔｍｌページ送信部２１は、無線ネットワーク信号検知部２３からの通知が来たかを判断する（ステップＳ２００）。無線ネットワーク信号検知部２３は、新しい無線ネットワーク空間に入るとネットワーク管理ノード１０が有する無線ネットワーク存在信号生成部１０からの信号を検知し、宣伝用ｈｔｍｌページ送信部２１へ新しい無線ネットワークに入ったことを通知する。無線ネットワーク信号検知部２３からの通知が来ない場合は（ステップＳ２００／ＮＯ）は、通知が来るまで待機状態となる。
【００２５】
無線ネットワーク信号検知部２３からの通知が来た場合は（ステップＳ２００／ＹＥＳ）、次に、ノードアドレス管理部１１が保持するＩＰアドレスリストの参照を依頼し（ステップＳ２０１）、ＩＰアドレスを取得し（ステップＳ２０２）、宣伝メッセージを端末ノードに送信する（ステップＳ２０３）。宣伝用ｈｔｍｌページ送信部２１は、ＩＰアドレスを取得後、全端末ノードに対して宣伝用ｈｔｍｌページ格納部２２に格納されているｈｔｍｌページの内容を添付して、宣伝用ｈｔｍｌであることを明記した宣伝メッセージを送信する。
【００２６】
次に、図４を参照して宣伝用ｈｔｍｌページ受付部３３の処理動作を説明する。
まず、端末ノード３０が有する宣伝用ｈｔｍｌページ受付部３３は、任意の行商ノード２０からの宣伝メッセージを受信したかを判断する（ステップＳ３００）。宣伝メッセージを受信しない場合は（ステップＳ３００／ＮＯ）、受信待機状態となり、宣伝メッセージを受信した場合は（ステップＳ３００／ＹＥＳ）、次に、受信した宣伝メッセージに添付された宣伝用ｈｔｍｌページの内容を受け取り、宣伝用ｈｔｍｌページに利用者キーワード格納部３１に登録されたキーワードが含まれているかを判断する（ステップＳ３０１）。
【００２７】
宣伝用ｈｔｍｌページに利用者キーワード格納部３１に登録されたキーワードが含まれていない場合は（ステップＳ３０１／ＮＯ）、宣伝メッセージを廃棄して次の宣伝メッセージの受信待機状態に戻る。また、キーワードが含まれていた場合は（ステップＳ３０１／ＹＥＳ）、次に、宣伝用ｈｔｍｌページを許諾宣伝用ｈｔｍｌページ格納部３２に格納し（ステップＳ３０２）、Ｗｅｂブラウザを起動させ（ステップＳ３０３）、Ｗｅｂブラウザに、初期入力ｈｔｍｌページとして、許諾用宣伝用ｈｔｍｌページ格納部３２の内容を渡す（ステップＳ３０４）。
【００２８】
図１に示した構成を利用した移動店舗の宣伝方法を、図５を参照して説明する。
図５に示す通り、移動店舗をラーメン屋台（以下、屋台１００）として説明する。屋台１００は端末Ａを搭載しており、端末Ａは、図１に示す行商ノード２０の構成と同様である。屋台１００がアドホックネットワークのサービスが行われている場所に移動した時に、端末Ａが有する無線ネットワーク信号検知部２３は、ネットワーク管理ノード１０が備える無線ネットワーク存在信号生成部１２が発信する無線ネットワークの存在を示す信号を受信することでＩＰアドレスを取得し、アドホックネットワークに参加することができる。
【００２９】
アドホックネットワークに参加した屋台１００は、複数の端末Ｂ〜Ｅに宣伝のページを送信するために、まず、端末Ａが搭載した宣伝用ｈｔｍｌページ格納部２２に格納されているｈｔｍｌページの内容を添付して、宣伝用ｈｔｍｌであることを明記した宣伝メッセージを宣伝用ｈｔｍｌページ送信部２１が端末Ｂ〜Ｅへ送信する。
【００３０】
端末Ｂ〜Ｅは、図１に示す端末ノードと同様の構成である。端末Ｂ〜Ｅは端末Ａから宣伝用ｈｔｍｌページを受信すると、宣伝用ｈｔｍｌページ受付部３３にて、利用者キーワード格納部３１に格納されているキーワードが宣伝用ｈｔｍｌページに含まれているかを判断する。
【００３１】
ここで、アドホックネットワーク内の利用者がキーワード設定する時の説明をする。
アドホックネットワーク内の利用者は、Ｗｅｂブラウザ上で例えば、ショッピングやグルメ、スポーツといった複数のカテゴリーから自分の興味があるカテゴリーを選択し、さらに、具体的にグルメの場合には、「和風」、「洋風」、「ラーメン」、「イタリアン」といったようなカテゴリーを選択することで、選択したカテゴリーをキーワードとする。または、利用者が自分の興味があるカテゴリーをキーワードとして入力することもできる。
【００３２】
また、キーワードがフィルタの役割を果たし、図５に示すように、端末Ｂと端末Ｅの利用者は「ラーメン」をキーワードとしているため、屋台１００からの宣伝ページを受信することができる。端末Ｃと端末Ｄは、「ラーメン」をキーワードとしていないため、屋台１００からの宣伝ページを受信することはできない。
【００３３】
「ラーメン」をキーワードとしている端末Ｂと端末Ｅでは、端末Ａから受信した宣伝用ｈｔｍｌページは、許諾宣伝用ｈｔｍｌページ格納部３２に格納され、Ｗｅｂブラウザを起動させ、初期入力ｈｔｍｌページを表示する。
【００３４】
次に、図６を参照して、屋台が無線ネットワーク以外で移動店舗の宣伝を行う例を説明する。
図６に示すように、屋台を動かしていないときは、屋台に搭載している端末Ａを自宅２００の固定回線か自宅に設置している無線ＬＡＮ環境でインターネットに接続する。こうすることで、端末Ａ上のＷｅｂサーバは、汎用検索エンジンの検索対象となるため、屋台１００を宣伝している宣伝用ｈｔｍｌページも検索エンジンによって存在を知られる。検索エンジンの利用者が宣伝用ｈｔｍｌページに含まれる文字列を含むようなキーワードで検索すると、他のｈｔｍｌページと同様に参照されることになる。この場合、屋台のＷｅｂサーバは、一般利用者の参照要求を待つ状態になっているため、自分から積極的に利用者端末４００に対して宣伝するということは行わない。
【００３５】
次に、図７を参照して、通常のインターネットでのＷｅｂサイトへのアクセスと本発明におけるＷｅｂサイトへのアクセスとを比較する。
まず、通常のインターネットでのＷｅｂサイトへのアクセスでは、販売Ｗｅｂサイトの発見方法として、利用者が検索エンジンにキーワードを入力して検索する。次に、検索エンジンで検索したものの中から、適当なＷｅｂページを発見しアクセスする。次に、宣伝ｈｔｍｌページの送信方法としては、利用者のｈｔｔｐプロトコルを使ってのページアクセス要求に応じて、ｈｔｍｌページを送信する。
【００３６】
また、本発明におけるＷｅｂサイトへのアクセスは、まず、販売Ｗｅｂサイト側から勝手に送りつけてくる。次に、利用者端末中にキーワードを保存しておき、送りつけてくるｈｔｍｌページをフィルタリングする。適当なｈｔｍｌページと判断したらＷｅｂブラウザを起動して宣伝用ｈｔｍｌページを開いて利用者に提示する。宣伝ｈｔｍｌページの送信方法としては、無線ネットワーク中のすべての利用者端末にｈｔｍｌページを押し売り的に送りつける。
【００３７】
なお、取引行為に関しては、通常のインターネットでのＷｅｂサイトへのアクセスでは、クレジット会社等を利用し、セキュアに売買する。また、オークションサイトなどでは金額と物品を交換するのに、エスクローという仲介業務の仕組みを使う場合もある。
本発明では、屋台のサイトと歩行者との距離が近いので、すぐに対面販売に持ち込み、現金決済をすればよい。
【図面の簡単な説明】
【００３８】
【図１】本発明の実施形態における移動店舗の宣伝システムの構成を示した図である。
【図２】本発明の実施形態における移動店舗の宣伝システムの処理動作を示したフローチャートである。
【図３】本発明の実施形態における移動店舗の宣伝システムの処理動作を示したフローチャートである。
【図４】本発明の実施形態における移動店舗の宣伝システムの処理動作を示したフローチャートである。
【図５】本発明の実施形態における移動店舗の宣伝システムの概念を示した図である。
【図６】本発明の実施形態における移動店舗の宣伝システムの概念を示した図である。
【図７】従来の宣伝及び販売システムと本発明の宣伝及び販売システムの処理動作を比較したフローチャートである。
【符号の説明】
【００３９】
１０    ネットワーク管理ノード
１１    ノードアドレス管理部
１２    無線ネットワーク存在信号生成部
２０    行商ノード
２１    宣伝用ｈｔｍｌページ送信部
２２    宣伝用ｈｔｍｌページ格納部
２３    無線ネットワーク信号検知部
２４    Ｗｅｂサーバ
３０    端末ノード
３１    利用者キーワード格納部
３２    許諾宣伝用ｈｔｍｌページ格納部
３３    宣伝用ｈｔｍｌページ受付部
３４    Ｗｅｂブラウザ
【図１】
2006031643.tif 000003
【図２】
2006031643.tif 000004
【図３】
2006031643.tif 000005
【図４】
2006031643.tif 000006
【図５】
2006031643.tif 000007
【図６】
2006031643.tif 000008
【図７】
2006031643.tif 000009